(57)【要約】【課題】ケース本体の内側に蓋を挿入する際にケース本体と蓋との当接による異物の発生を抑制すること。【解決手段】製造装置５０は、二次電池の蓋１４を保持する蓋保持部８５と、蓋保持部８５が接続された基端部８７と、ケース本体１３の開口部１３ａの開口面に直交する方向にてケース本体１３に近づく方向に蓋保持部８５と基端部８７とを一体移動させる移動部８９と、を備える。蓋保持部８５と基端部８７とは、ケース本体１３の開口部１３ａの開口面に沿う方向にて、蓋保持部８５と基端部８７との位置関係を変更可能なフローティング機構８８ｆを介して接続されている。蓋インロー部の蓋インロー隅部と長側壁１３ｃ及び短側壁１３ｄの側壁隅部との両方がテーパ面を有するテーパ隅部である。【選択図】図７
2020155318.tif 000002
【特許請求の範囲】
【請求項１】
複数の電極が積層して層状構造をなすとともに前記電極から突出したタブが積層したタブ群を有する電極組立体と、底壁及び前記底壁の周縁から立設した側壁を有するとともに前記電極組立体を収容する金属製のケース本体と、前記タブ群と電気的に接続される電極端子が固定されるとともに前記側壁で囲まれた前記ケース本体の開口部を閉塞する金属製の蓋と、を備える蓄電装置を製造装置によって製造する製造方法であって、
前記製造装置は、
前記蓋を保持する蓋保持部と、
前記蓋保持部が接続された基端部と、
前記開口部の開口面に直交する方向にて前記ケース本体に近づく方向に、前記蓋を保持した前記蓋保持部と前記基端部とを一体移動させる移動部と、を備え、
前記蓋保持部と前記基端部とは、前記開口面に沿う方向にて前記蓋保持部と前記基端部との位置関係を変更可能なフローティング機構を介して接続されており、
前記蓋は、
前記開口部を閉塞し、且つ前記開口部を囲む前記側壁の先端面に支持された板状の蓋本体部と、
前記蓋本体部から前記ケース本体内に向けて突出し、且つ前記側壁の内面に沿う蓋インロー部と、
前記蓋本体部からの前記蓋インロー部の突出方向先端側における前記蓋インロー部の外周縁に存在する蓋インロー隅部と、を備え、
前記側壁は、前記側壁の前記先端面と前記側壁の前記内面とが交わる側壁隅部を備え、
前記蓋インロー隅部及び前記側壁隅部のうち少なくとも一方がテーパ面を有するテーパ隅部である蓄電装置の製造方法。
【請求項２】
複数の電極が積層して層状構造をなすとともに前記電極から突出したタブが積層したタブ群を有する電極組立体と、底壁及び前記底壁の周縁から立設した側壁を有するとともに前記電極組立体を収容する金属製のケース本体と、前記タブ群と電気的に接続される電極端子が固定されるとともに前記側壁で囲まれた前記ケース本体の開口部を閉塞する板状且つ金属製の蓋と、を備える蓄電装置を製造装置によって製造する製造方法であって、
前記製造装置は、
前記蓋を保持する蓋保持部と、
前記蓋保持部が接続された基端部と、
前記開口部の開口面に直交する方向にて前記ケース本体に近づく方向に、前記蓋を保持した前記蓋保持部と前記基端部とを一体移動させる移動部と、を備え、
前記蓋保持部と前記基端部とは、前記開口面に沿う方向にて前記蓋保持部と前記基端部との位置関係を変更可能なフローティング機構を介して接続されており、
前記蓋は、前記開口面に沿って延びる面であって前記ケース本体の内側に存在する前記蓋の内側面と、前記蓋の外周面とが交わる蓋隅部を備え、
前記側壁は、前記開口部を囲む前記側壁の先端面と前記側壁の内面が交わる側壁隅部を備え、
前記蓋隅部及び前記側壁隅部のうち少なくとも一方がテーパ面を有するテーパ隅部である蓄電装置の製造方法。
【請求項３】
複数の電極が積層して層状構造をなすとともに前記電極から突出したタブが積層したタブ群を有する電極組立体と、底壁及び前記底壁の周縁から立設した側壁を有するとともに前記電極組立体を収容する金属製のケース本体と、前記タブ群と電気的に接続される電極端子が固定されるとともに前記側壁で囲まれた前記ケース本体の開口部を閉塞する金属製の蓋と、を備える蓄電装置を製造装置によって製造する製造方法であって、
前記製造装置は、
前記蓋を保持する蓋保持部と、
前記蓋保持部が接続された基端部と、
前記開口部の開口面に直交する方向にて前記ケース本体に近づく方向に、前記蓋を保持した前記蓋保持部と前記基端部とを一体移動させる移動部と、を備え、
前記蓋保持部と前記基端部とは、前記開口面に沿う方向にて前記蓋保持部と前記基端部との位置関係を変更可能なフローティング機構を介して接続されており、
前記蓋は、
前記開口部を閉塞する板状の蓋本体部と、
前記蓋本体部から前記ケース本体内に向けて突出し、且つ前記側壁の内面に沿う蓋インロー部と、
前記開口面に沿って延びる面であって前記ケース本体の内側に存在する前記蓋本体部の内側面と、前記蓋本体部の外周面とが交わる蓋本体隅部と、
前記蓋本体部からの前記蓋インロー部の突出方向先端側における前記蓋インロー部の外周縁に存在する蓋インロー隅部と、を備え、
前記側壁は、
前記開口部を囲んで前記ケース本体の外側に位置する前記側壁の先端面と、前記蓋本体部の前記外周面に沿う前記側壁の第１内面とが交わる第１側壁隅部及び、
前記第１内面から前記開口面に沿って前記ケース本体内に向けて延びるとともに前記蓋本体部を支持する前記側壁の第２内面と、前記蓋インロー部の外周面に沿う前記側壁の第３内面とが交わる第２側壁隅部、を備え、
前記蓋本体隅部、前記蓋インロー隅部、前記第１側壁隅部、及び前記第２側壁隅部のうち少なくとも１つがテーパ面を有するテーパ隅部である蓄電装置の製造方法。
【請求項４】
前記製造装置は、前記開口面に直交する方向にて前記ケース本体に近づく方向に移動するとともに、前記蓋を押圧する蓋押圧部をさらに備え、
前記ケース本体に近づく方向に前記蓋保持部及び前記蓋押圧部が移動する際には、前記蓋保持部が前記蓋を保持した後に前記蓋押圧部が前記蓋に当接する請求項１〜請求項３のうちいずれか一項に記載の蓄電装置の製造方法。
【請求項５】
前記テーパ隅部は、前記蓋に存在する一方で前記側壁には存在しない請求項１〜請求項４のうちいずれか一項に記載の蓄電装置の製造方法。
【発明の詳細な説明】
【技術分野】
【０００１】
本発明は、蓄電装置の製造方法に関する。
【背景技術】
【０００２】
従来、蓄電装置は、複数の電極が積層して層状構造をなすとともに電極から突出したタブが積層したタブ群を有する電極組立体と、電極組立体を収容する金属製のケース本体と、ケース本体の開口部を閉塞する金属製の蓋と、を備える。ケース本体は、底壁及び底壁の周縁から立設した側壁を有する。また、蓋には電極端子が固定されており、電極端子はタブ群と電気的に接続されている。そのため、電極組立体と蓋とはタブ群を介して一体となっている。こうした蓄電装置においては、例えば特許文献１に記載のように、ケース本体の側壁における開口部の周縁部と蓋の周縁部とを溶接することにより、蓋がケース本体に組み付けられる。
【先行技術文献】
【特許文献】
【０００３】
【特許文献１】特開２０１６−１２２５３３号公報
【発明の概要】
【発明が解決しようとする課題】
【０００４】
ところで、蓄電装置には、蓋の一部又は全部をケース本体の開口部からケース本体の内側に挿入することで、ケース本体の開口部を蓋で閉塞させて製造するものがある。蓋の一部がケース本体の内側に挿入された蓄電装置としては、例えば、板状の蓋本体部と、蓋本体部からケース本体内に向けて突出し、且つケース本体の側壁の内面に沿う蓋インロー部と、を蓋が備えるものが挙げられる。この蓄電装置を製造する際には、蓋インロー部をケース本体の開口部からケース本体の内側に挿入して、ケース本体の開口部を蓋本体部で閉塞させる。また、蓋の前部がケース本体の内側に挿入された蓄電装置として、ケース本体の開口部を閉塞する板状の蓋を備えるものが挙げられる。この蓄電装置を製造する際には、蓋全体をケース本体の開口部からケース本体の内側に挿入して、ケース本体の開口部を蓋で閉塞させる。
【０００５】
しかしながら、蓄電装置を製造するためケース本体の内側に蓋の一部又は全部を挿入する際には、蓋の隅部とケース本体の側壁の隅部とが干渉するおそれがある。そうした干渉が生じると、ケース本体や蓋が削れて金属粉が異物として生じるおそれがある。そうした異物が蓄電装置内に入ってしまうと、蓄電装置の電池性能に影響が及ぶおそれがあり好ましくない。
【０００６】
本発明は、上記課題を解決するためになされたものであり、その目的は、ケース本体の内側に蓋を挿入する際にケース本体と蓋との当接による異物の発生を抑制できる蓄電装置の製造方法を提供することにある。
【課題を解決するための手段】
【０００７】
上記課題を解決する蓄電装置の製造方法は、複数の電極が積層して層状構造をなすとともに前記電極から突出したタブが積層したタブ群を有する電極組立体と、底壁及び前記底壁の周縁から立設した側壁を有するとともに前記電極組立体を収容する金属製のケース本体と、前記タブ群と電気的に接続される電極端子が固定されるとともに前記側壁で囲まれた前記ケース本体の開口部を閉塞する金属製の蓋と、を備える蓄電装置を製造装置によって製造する製造方法であって、前記製造装置は、前記蓋を保持する蓋保持部と、前記蓋保持部が接続された基端部と、前記開口部の開口面に直交する方向にて前記ケース本体に近づく方向に、前記蓋を保持した前記蓋保持部と前記基端部とを一体移動させる移動部と、を備え、前記蓋保持部と前記基端部とは、前記開口面に沿う方向にて前記蓋保持部と前記基端部との位置関係を変更可能なフローティング機構を介して接続されており、前記蓋は、前記開口部を閉塞し、且つ前記開口部を囲む前記側壁の先端面に支持された板状の蓋本体部と、前記蓋本体部から前記ケース本体内に向けて突出し、且つ前記側壁の内面に沿う蓋インロー部と、前記蓋本体部からの前記蓋インロー部の突出方向先端側における前記蓋インロー部の外周縁に存在する蓋インロー隅部と、を備え、前記側壁は、前記側壁の前記先端面と前記側壁の前記内面とが交わる側壁隅部を備え、前記蓋インロー隅部及び前記側壁隅部のうち少なくとも一方がテーパ面を有するテーパ隅部であることを特徴とする。
【０００８】
蓋をケース本体の内部に向けて移動させる際には、蓋インロー部の蓋インロー隅部がケース本体の開口部を通過する。このとき、ケース本体の開口部の開口面に沿う方向において、蓋がケース本体の開口部からずれることがある。上記方法では、蓋がずれたときに、ケース本体の開口部からずれた部分の蓋インロー部の蓋インロー隅部が、ケース本体の側壁における側壁隅部に当接する。このとき、蓋インロー隅部がテーパ隅部である場合には、テーパ面である蓋インロー隅部がケース本体の側壁における側壁隅部に当接する。側壁隅部がテーパ隅部である場合には、テーパ面である側壁隅部が蓋インロー部の蓋インロー隅部に当接する。こうして側壁隅部及び蓋インロー隅部の少なくとも一方とテーパ面が当接することにより、側壁隅部と蓋インロー隅部とがいずれもテーパ面を有さない角状の隅部と当接する場合に比較して蓋インロー部やケース本体の側壁が削れにくい。したがって、上記方法によれば、ケース本体の内側に蓋の蓋インロー部を挿入する際に、ケース本体と蓋との当接による異物の発生を抑制できる。
【０００９】
また、上記方法では、蓋保持部と基端部とがフローティング機構を介して接続されている。そのため、ケース本体への蓋の組み付けの際に、ケース本体の開口部の開口面に沿う方向に蓋が移動しやすくなる。蓋インロー隅部がテーパ隅部である場合には、テーパ面である蓋インロー隅部にケース本体の側壁が当接しながらケース本体内への蓋の移動が行われる。側壁隅部がテーパ隅部である場合には、テーパ面である側壁隅部に蓋が当接しながらケース本体内への蓋の移動が行われる。こうして蓋が移動することにより、蓋がケース本体内に移動するにつれて、ケース本体の開口部の開口面に沿う方向にて蓋の位置が移動しやすい。したがって、ケース本体への蓋の組み付けに際してケース本体と蓋との位置精度を向上できる。
【００１０】
上記課題を解決する蓄電装置の製造方法は、複数の電極が積層して層状構造をなすとともに前記電極から突出したタブが積層したタブ群を有する電極組立体と、底壁及び前記底壁の周縁から立設した側壁を有するとともに前記電極組立体を収容する金属製のケース本体と、前記タブ群と電気的に接続される電極端子が固定されるとともに前記側壁で囲まれた前記ケース本体の開口部を閉塞する板状且つ金属製の蓋と、を備える蓄電装置を製造装置によって製造する製造方法であって、前記製造装置は、前記蓋を保持する蓋保持部と、前記蓋保持部が接続された基端部と、前記開口部の開口面に直交する方向にて前記ケース本体に近づく方向に、前記蓋を保持した前記蓋保持部と前記基端部とを一体移動させる移動部と、を備え、前記蓋保持部と前記基端部とは、前記開口面に沿う方向にて前記蓋保持部と前記基端部との位置関係を変更可能なフローティング機構を介して接続されており、前記蓋は、前記開口面に沿って延びる面であって前記ケース本体の内側に存在する前記蓋の内側面と、前記蓋の外周面とが交わる蓋隅部を備え、前記側壁は、前記開口部を囲む前記側壁の先端面と前記側壁の内面が交わる側壁隅部を備え、前記蓋隅部及び前記側壁隅部のうち少なくとも一方がテーパ面を有するテーパ隅部であることを特徴とする。
【００１１】
蓋をケース本体の内部に向けて移動させる際には、蓋の蓋隅部がケース本体の開口部を通過する。このとき、ケース本体の開口部の開口面に沿う方向において、蓋がケース本体の開口部からずれることがある。上記方法では、蓋がずれたときに、ケース本体の開口部からずれた部分の蓋の蓋隅部が、ケース本体の側壁における側壁隅部に当接する。このとき、蓋隅部がテーパ隅部である場合には、テーパ面である蓋隅部がケース本体の側壁における側壁隅部に当接する。側壁隅部がテーパ隅部である場合には、テーパ面である側壁隅部が蓋の蓋隅部に当接する。こうして側壁隅部及び蓋隅部の少なくとも一方とテーパ面が当接することにより、側壁隅部と蓋隅部とがいずれもテーパ面を有さない角状の隅部と当接する場合に比較して蓋やケース本体の側壁が削れにくい。したがって、上記方法によれば、ケース本体の内側に蓋を挿入する際に、ケース本体と蓋との当接による異物の発生を抑制できる。
【００１２】
また、上記方法では、蓋保持部と基端部とがフローティング機構を介して接続されている。そのため、ケース本体への蓋の組み付けの際に、ケース本体の開口部の開口面に沿う方向に蓋が移動しやすくなる。蓋隅部がテーパ隅部である場合には、テーパ面である蓋隅部にケース本体の側壁が当接しながらケース本体内への蓋の移動が行われる。側壁隅部がテーパ隅部である場合には、テーパ面である側壁隅部に蓋が当接しながらケース本体内への蓋の移動が行われる。こうして蓋が移動することにより、蓋がケース本体内に移動するにつれて、ケース本体の開口部の開口面に沿う方向にて蓋の位置が移動しやすい。したがって、ケース本体への蓋の組み付けに際してケース本体と蓋との位置精度を向上できる。
【００１３】
上記課題を解決する蓄電装置の製造方法は、複数の電極が積層して層状構造をなすとともに前記電極から突出したタブが積層したタブ群を有する電極組立体と、底壁及び前記底壁の周縁から立設した側壁を有するとともに前記電極組立体を収容する金属製のケース本体と、前記タブ群と電気的に接続される電極端子が固定されるとともに前記側壁で囲まれた前記ケース本体の開口部を閉塞する金属製の蓋と、を備える蓄電装置を製造装置によって製造する製造方法であって、前記製造装置は、前記蓋を保持する蓋保持部と、前記蓋保持部が接続された基端部と、前記開口部の開口面に直交する方向にて前記ケース本体に近づく方向に、前記蓋を保持した前記蓋保持部と前記基端部とを一体移動させる移動部と、を備え、前記蓋保持部と前記基端部とは、前記開口面に沿う方向にて前記蓋保持部と前記基端部との位置関係を変更可能なフローティング機構を介して接続されており、前記蓋は、前記開口部を閉塞する板状の蓋本体部と、前記蓋本体部から前記ケース本体内に向けて突出し、且つ前記側壁の内面に沿う蓋インロー部と、前記開口面に沿って延びる面であって前記ケース本体の内側に存在する前記蓋本体部の内側面と、前記蓋本体部の外周面とが交わる蓋本体隅部と、前記蓋本体部からの前記蓋インロー部の突出方向先端側における前記蓋インロー部の外周縁に存在する蓋インロー隅部と、を備え、前記側壁は、前記開口部を囲んで前記ケース本体の外側に位置する前記側壁の先端面と、前記蓋本体部の前記外周面に沿う前記側壁の第１内面とが交わる第１側壁隅部及び、前記第１内面から前記開口面に沿って前記ケース本体内に向けて延びるとともに前記蓋本体部を支持する前記側壁の第２内面と、前記蓋インロー部の外周面に沿う前記側壁の第３内面とが交わる第２側壁隅部、を備え、前記蓋本体隅部、前記蓋インロー隅部、前記第１側壁隅部、及び前記第２側壁隅部のうち少なくとも１つがテーパ面を有するテーパ隅部であることを特徴とする。
【００１４】
蓋をケース本体の内部に向けて移動させる際には、蓋インロー部の蓋インロー隅部や蓋本体部の蓋本体隅部がケース本体の開口部を通過する。このとき、ケース本体の開口部の開口面に沿う方向において、蓋がケース本体の開口部からずれることがある。上記構成では、蓋がずれたときに、ケース本体の開口部からずれた部分の蓋インロー部の蓋インロー隅部が、ケース本体の側壁の第１側壁隅部や第２側壁隅部に当接する。このとき、蓋インロー隅部がテーパ隅部である場合には、テーパ面である蓋インロー隅部がケース本体の側壁の第１側壁隅部や第２側壁隅部に当接する。第１側壁隅部や第２側壁隅部がテーパ隅部である場合には、テーパ面である第１側壁隅部やテーパ面である第２側壁隅部が蓋インロー部の蓋インロー隅部に当接する。また、蓋がずれたときに、ケース本体の開口部からずれた部分の蓋本体部の蓋本体隅部が、ケース本体の側壁の第１側壁隅部や第２側壁隅部に当接する。このとき、蓋本体隅部がテーパ隅部である場合には、テーパ面である蓋本体隅部がケース本体の側壁の第１側壁隅部や第２側壁隅部に当接する。第１側壁隅部や第２側壁隅部がテーパ隅部である場合には、テーパ面である第１側壁隅部やテーパ面である第２側壁隅部が蓋本体部の蓋本体隅部に当接する。こうして第１側壁隅部、第２側壁隅部、蓋インロー隅部、及び蓋本体隅部の少なくともいずれかとテーパ面が当接することにより、第１側壁隅部と、第２側壁隅部と、蓋インロー隅部と、蓋本体隅部とがいずれもテーパ面を有さない角状の隅部と当接する場合に比較して蓋やケース本体の側壁が削れにくい。したがって、上記方法によれば、ケース本体の内側に蓋を挿入する際に、ケース本体と蓋との当接による異物の発生を抑制できる。
【００１５】
また、上記方法では、蓋保持部と基端部とがフローティング機構を介して接続されている。そのため、ケース本体への蓋の組み付けの際に、ケース本体の開口部の開口面に沿う方向に蓋が移動しやすくなる。蓋インロー隅部がテーパ隅部である場合には、テーパ面である蓋インロー隅部にケース本体の側壁が当接しながらケース本体内への蓋の移動が行われる。蓋本体隅部がテーパ隅部である場合には、テーパ面である蓋本体隅部にケース本体の側壁が当接しながらケース本体内への蓋の移動が行われる。第１側壁隅部や第２側壁隅部がテーパ隅部である場合には、テーパ面である第１側壁隅部やテーパ面である第２側壁隅部に蓋が当接しながらケース本体内への蓋の移動が行われる。こうして蓋が移動することにより、蓋がケース本体内に移動するにつれて、ケース本体の開口部の開口面に沿う方向にて蓋の位置が移動しやすい。したがって、ケース本体への蓋の組み付けに際してケース本体と蓋との位置精度を向上できる。
【００１６】
蓄電装置の製造方法において、前記製造装置は、前記開口面に直交する方向にて前記ケース本体に近づく方向に移動するとともに、前記蓋を押圧する蓋押圧部をさらに備え、前記ケース本体に近づく方向に前記蓋保持部及び前記蓋押圧部が移動する際には、前記蓋保持部が前記蓋を保持した後に前記蓋押圧部が前記蓋に当接することが好ましい。
【００１７】
上記方法によれば、蓋保持部による蓋の保持が行われた後に、蓋押圧部が蓋に当接するため、蓋保持部による蓋の保持が開始される際には蓋押圧部が蓋の押圧を開始する際の蓋の動きが生じず、蓋押圧部による蓋の押圧が開始される際には蓋保持部が蓋の保持を開始する際の蓋の動きが生じない。したがって、蓋保持部による蓋の保持と、蓋押圧部による蓋の押圧とを精度よく行うことができる。
【００１８】
蓄電装置の製造方法において、前記テーパ隅部は、前記蓋に存在する一方で前記側壁には存在しないことが好ましい。
蓄電装置では、ケース本体の内部容量を大きくして電池容量を大きくするため、ケース本体の側壁の厚みを強度が保持できる範囲で可能な限り薄くすることが好ましい。しかしながら、ケース本体の側壁にテーパ隅部を形成するためには、テーパ隅部を形成可能な程度に側壁の厚みを大きく設定する必要があり、その分だけ蓄電装置の電池容量が低下するおそれがある。上記方法では、テーパ隅部を蓋に設ける一方でケース本体の側壁には設けていない。したがって、蓄電装置の電池容量の低下を抑制しつつ、ケース本体と蓋との当接による異物の発生を抑制できる。
【発明の効果】
【００１９】
この発明によれば、ケース本体の内側に蓋を挿入する際にケース本体と蓋との当接による異物の発生を抑制できる。
【図面の簡単な説明】
【００２０】
【図１】実施形態の二次電池の分解斜視図。
【図２】電極組立体の構成を示す斜視図。
【図３】二次電池の断面図。
【図４】二次電池の断面図。
【図５】ケースの拡大断面図。
【図６】二次電池の斜視図。
【図７】蓋保持部によって蓋を保持する前の蓋組付装置を示す斜視図。
【図８】蓋保持部によって蓋を保持した後の蓋組付装置を示す斜視図。
【図９】蓋押圧部によって蓋を押圧するときの蓋組付装置を示す斜視図。
【図１０】別例でのケースの拡大断面図。
【図１１】別例でのケースの拡大断面図。
【図１２】別例での二次電池の斜視図。
【図１３】別例でのケースの拡大断面図。
【図１４】別例でのケースの拡大断面図。
【発明を実施するための形態】
【００２１】
以下、蓄電装置の製造方法を二次電池の製造方法に具体化した実施形態について図１〜図９にしたがって説明する。
図１に示すように、蓄電装置としての二次電池１０は、ケース１１を備えている。二次電池１０は、ケース１１に収容された電極組立体１２を備えている。ケース１１は、直方体状のケース本体１３と、ケース本体１３に組み付いてケース本体１３の開口部１３ａを閉塞する平面視で矩形をなす板状の蓋１４とを有している。ケース１１を構成するケース本体１３と蓋１４とは、何れも金属製（例えば、ステンレスやアルミニウム）である。また、本実施形態の二次電池１０は、その外観が角型をなす角型電池である。また、本実施形態の二次電池１０は、リチウムイオン二次電池である。
【００２２】
図２に示すように、電極組立体１２は、シート状の複数の正極電極２０と、シート状の複数の負極電極２１と、シート状の複数のセパレータ２２とを備えている。電極組立体１２は、正極電極２０と負極電極２１との間にセパレータ２２を介在させ、且つ絶縁された状態で積層した層状構造をなしている。
【００２３】
正極電極２０は、シート状の正極金属箔（例えばアルミニウム箔）２３と、正極金属箔２３の両面に存在する正極活物質層２４とを有している。正極電極２０は、一対の長辺に沿う縁部のうち一方の縁部にタブ側縁部２０ａを備えている。正極電極２０は、タブ側縁部２０ａの一部から突出したタブとしての正極タブ２５を有している。正極タブ２５は、正極金属箔２３そのもので構成されている。
【００２４】
負極電極２１は、シート状の負極金属箔（例えば銅箔）２６と、負極金属箔２６の両面に存在する負極活物質層２７とを有している。負極電極２１は、一対の長辺に沿う縁部のうち一方の縁部にタブ側縁部２１ａを備えている。負極電極２１は、タブ側縁部２１ａの一部から突出したタブとしての負極タブ２８を有している。負極タブ２８は、負極金属箔２６そのもので構成されている。なお、負極電極２１及びセパレータ２２は正極電極２０よりも大きい。そのため、正極電極２０、負極電極２１、及びセパレータ２２を積層した状態では、負極電極２１及びセパレータ２２のすべての縁部が、正極電極２０のすべての縁部からはみ出して位置する。
【００２５】
複数の正極タブ２５及び複数の負極タブ２８は、正極電極２０及び負極電極２１が積層された状態で、正極タブ２５と負極タブ２８とが重ならない位置に存在する。セパレータ２２は、絶縁性を有し、正極電極２０と負極電極２１とを絶縁する。正極電極２０、負極電極２１、及びセパレータ２２が積層された方向が電極組立体１２の積層方向である。
【００２６】
図３に示すように、電極組立体１２は、タブ側端面１２ａを備えている。タブ側端面１２ａは、図２に示す負極電極２１のタブ側縁部２１ａ、及びセパレータ２２の縁部を寄せ集めて形成されている。また、電極組立体１２は、タブ側端面１２ａから突出した正極タブ群２５ａを有している。正極タブ群２５ａは、全ての正極タブ２５を積層方向の一端寄りに寄せ集め、積層して構成されている。また、電極組立体１２は、タブ側端面１２ａから突出した負極タブ群２８ａを有している。負極タブ群２８ａは、全ての負極タブ２８を積層方向の一端寄りに寄せ集め、積層して構成されている。電極組立体１２がケース本体１３に収容された状態では、正極タブ群２５ａ及び負極タブ群２８ａがそれぞれで湾曲している。
【００２７】
正極タブ群２５ａ及び負極タブ群２８ａは、積層方向一端寄りに基端側曲げ部２９ａをそれぞれ備えている。詳しくは、正極タブ群２５ａでは、複数の正極タブ２５が積層方向一端寄りに寄せ集められるとともに、積層方向一端寄りから積層方向他端寄りに向けて折り曲げられることにより基端側曲げ部２９ａが形成されている。負極タブ群２８ａでは、複数の負極タブ２８が積層方向一端寄りに寄せ集められるとともに、積層方向一端寄りから積層方向他端寄りに向けて折り曲げられることにより基端側曲げ部２９ａが形成されている。
【００２８】
また、正極タブ群２５ａ及び負極タブ群２８ａは延出部２９ｂをそれぞれ備えている。詳しくは、正極タブ群２５ａでは、複数の正極タブ２５が基端側曲げ部２９ａから積層方向他端に向かって延びることで延出部２９ｂが形成されている。負極タブ群２８ａでは、複数の負極タブ２８が基端側曲げ部２９ａから積層方向他端に向かって延びることで延出部２９ｂが形成されている。
【００２９】
さらに、正極タブ群２５ａ及び負極タブ群２８ａは先端側曲げ部２９ｃをそれぞれ備えている。詳しくは、正極タブ群２５ａでは、複数の正極タブ２５のうち延出部２９ｂの積層方向他端寄りの部分を積層方向一端に向けて折り曲げることにより先端側曲げ部２９ｃが形成されている。負極タブ群２８ａでは、複数の負極タブ２８のうち延出部２９ｂの積層方向他端寄りの部分を積層方向一端に向けて折り曲げることにより先端側曲げ部２９ｃが形成されている。
【００３０】
図１に示すように、二次電池１０は、ケース本体１３と電極組立体１２との間を絶縁する絶縁シート４０を備えている。絶縁シート４０は、樹脂で構成されている。絶縁シート４０は、電極組立体１２のタブ側端面１２ａを除く周囲を覆うように設けられている。
【００３１】
ケース本体１３は、平面視で矩形をなす板状の底壁１３ｂと、底壁１３ｂの周縁から立設した側壁と、を有する。ケース本体１３の側壁は、一対の長側壁１３ｃと、一対の短側壁１３ｄと、を有する。一対の長側壁１３ｃのうちの一方は、底壁１３ｂの一対の長側縁の一方から立設された側壁であり、一対の長側壁１３ｃのうちの他方は、底壁１３ｂの一対の長側縁の他方から立設された側壁である。一対の短側壁１３ｄのうちの一方は、底壁１３ｂの一対の短側縁の一方から立設された側壁であり、一対の短側壁１３ｄのうちの他方は、底壁１３ｂの一対の短側縁の他方から立設された側壁である。以下、長側壁１３ｃ及び短側壁１３ｄが立設する方向を立設方向という。また、ケース本体１３の開口部１３ａは、一対の長側壁１３ｃ及び一対の短側壁１３ｄの先端部分によって区画形成されている。すなわち、ケース本体１３の開口部１３ａは、一対の長側壁１３ｃ及び一対の短側壁１３ｄで囲まれている。また、ケース本体１３における長側壁１３ｃ及び短側壁１３ｄの立設方向の各先端には、端面としての先端面１３ｅが位置する。ケース本体１３の開口部１３ａの端面である開口面は、ケース本体１３における長側壁１３ｃ及び短側壁１３ｄの先端面１３ｅに沿って延びる面である。なお、立設方向に直交する方向は、ケース本体１３の開口部１３ａの開口面に沿う方向と一致する。
【００３２】
図３及び図４に示すように、蓋１４は、矩形板状の蓋本体部１６ａと、蓋本体部１６ａよりも外形の小さい矩形板状の蓋インロー部１６ｂと、を有する。なお、インローとは、嵌め合いにより位置決めを行う構造を示し、蓋インロー部１６ｂは、蓋本体部１６ａよりも外形が小さい。また、蓋インロー部１６ｂは、蓋本体部１６ａからケース本体１３内に向けて突出した形状であり、ケース本体１３の開口部１３ａ内に嵌め合わされる。なお、本実施形態の蓋インロー部１６ｂは矩形板状をなすが、内側に肉の無い、いわゆる凸条により形成されていてもよい。
【００３３】
蓋本体部１６ａは、立設方向においてケース本体１３の外側に位置しているとともに、蓋インロー部１６ｂは、立設方向においてケース本体１３の内側に位置している。以下では、蓋１４のうち、蓋インロー部１６ｂのケース１１の内側に臨む面を蓋１４の下面１４ａといい、蓋本体部１６ａのケース１１の外側に臨む面を蓋１４の上面１４ｂという。また、蓋本体部１６ａにおいて、蓋１４の上面１４ｂに相当する面とは反対側の面であって、蓋インロー部１６ｂの周りで蓋１４の上面１４ｂの延びる方向と同方向に延びる面を蓋本体部１６ａの下面１６ｅという。蓋１４において、蓋本体部１６ａの下面１６ｅと蓋１４の下面１４ａとを繋ぐ面であって、蓋本体部１６ａからケース本体１３内に向かって延びる蓋インロー部１６ｂの面を蓋インロー部１６ｂの外周面１６ｆという。蓋本体部１６ａからの蓋インロー部１６ｂの突出方向と直交する方向において、蓋インロー部１６ｂの外側の周り全体に位置する面を、蓋インロー部１６ｂの外周面１６ｆという。なお、蓋本体部１６ａからの蓋インロー部１６ｂの突出方向は立設方向に一致する。
【００３４】
蓋インロー部１６ｂは、外周面１６ｆと蓋１４の下面１４ａとを繋ぐ蓋インロー隅部１６ｇを備える。蓋インロー隅部１６ｇは、蓋本体部１６ａからの蓋インロー部１６ｂの突出方向先端側である図３及び図４の下側において、蓋インロー部１６ｂの外周縁に位置している。また、蓋インロー隅部１６ｇはテーパ面を有するテーパ隅部となっている。テーパ面である蓋インロー隅部１６ｇは平面状であり、蓋インロー部１６ｂの外周面１６ｆ及び蓋１４の下面１４ａの両面から傾斜している。仮に、蓋インロー隅部１６ｇの位置にて蓋インロー部１６ｂを開口部１３ａの開口面に沿う方向で切断したときに、ケース本体１３内からみた蓋インロー部１６ｂの断面積は、ケース本体１３の底壁１３ｂに近づくほど小さくなっている。
【００３５】
図３、図４、及び図５に示すように、蓋１４はケース本体１３の開口部１３ａを閉塞した状態でケース本体１３に組み付けられている。ケース１１において、ケース本体１３の長側壁１３ｃ及び短側壁１３ｄの先端面１３ｅ上に蓋１４が載置されている。また、ケース１１において、蓋本体部１６ａの下面１６ｅとケース本体１３の長側壁１３ｃ及び短側壁１３ｄの先端面１３ｅとが接触している。すなわち、蓋本体部１６ａの下面１６ｅは、ケース本体１３の一対の長側壁１３ｃ及び一対の短側壁１３ｄの先端面１３ｅに支持されている。そして、ケース本体１３の開口部１３ａは蓋本体部１６ａによって閉塞されている。また、蓋インロー部１６ｂの外周面１６ｆは、ケース本体１３の一対の長側壁１３ｃ及び一対の短側壁１３ｄの内面１３ｆに沿っている。
【００３６】
一方、一対の長側壁１３ｃ及び一対の短側壁１３ｄは、先端面１３ｅと内面１３ｆとを繋ぐ側壁隅部１３ｇを備えている。側壁隅部１３ｇにおいて、一対の長側壁１３ｃの先端面１３ｅ及び一対の短側壁１３ｄの先端面１３ｅと内面１３ｆとが交わっている。側壁隅部１３ｇは、一対の長側壁１３ｃ及び一対の短側壁１３ｄにおける立設方向先端側での内周縁に位置している。本実施形態での側壁隅部１３ｇは、一対の長側壁１３ｃ及び一対の短側壁１３ｄの先端面１３ｅと内面１３ｆとで形成された角である。
【００３７】
図１、図３、及び図４に示すように、二次電池１０は、電極組立体１２と電気的に接続される電極端子１５を備えている。電極組立体１２は、電極端子１５を介して外部機器と電気的に接続される。電極端子１５は、蓋１４に固定されている。電極端子１５は、引出端子１９ａを備えている。引出端子１９ａの一部は、蓋１４の上面１４ｂよりも外側に突出している。引出端子１９ａは、正極電極２０及び負極電極２１に対応する正極引出端子及び負極引出端子を備えている。
【００３８】
図４に示すように、電極端子１５は、導電部材１７を備えている。導電部材１７は、正極電極２０及び負極電極２１に対応する正極導電部材及び負極導電部材を備えている。導電部材１７は、互いに同一の極性を有する引出端子１９ａと接合されている。また、導電部材１７は、互いに同一の極性を有する正極タブ群２５ａ又は負極タブ群２８ａと接合されている。これにより、一方の電極端子１５は正極タブ群２５ａと電気的に接続され、他方の電極端子１５は負極タブ群２８ａと電気的に接続されている。そして、一方の電極端子１５は、導電部材１７及び正極タブ群２５ａを介して電極組立体１２と電気的に接続されている。他方の電極端子１５は、導電部材１７及び負極タブ群２８ａを介して電極組立体１２と電気的に接続されている。各導電部材１７は、蓋１４の下面１４ａと電極組立体１２のタブ側端面１２ａとの間に配置されている。
【００３９】
一対の電極端子１５は、それぞれ蓋１４の上面１４ｂで引出端子１９ａと電気的に接続された端子接続部材１９ｂと、蓋１４の外側で端子接続部材１９ｂと電気的に接続された外部接続端子１９ｃとを備えている。電極端子１５は、端子接続部材１９ｂ及び外部接続端子１９ｃを蓋１４から絶縁する外側絶縁部材１９ｄを蓋１４の上面１４ｂに備えている。電極組立体１２及び蓋１４は、正極タブ群２５ａ及び負極タブ群２８ａと一対の電極端子１５とを介して一体化されている。以下、電極組立体１２、蓋１４、正極タブ群２５ａ、負極タブ群２８ａ、及び一対の電極端子１５が一体化されたものを組立部材Ｗとする。
【００４０】
図１に示すように、二次電池１０は、ケース１１内において、電極組立体１２のタブ側端面１２ａと蓋１４の下面１４ａとの間に配置される絶縁カバー３０を備えている。絶縁カバー３０は、樹脂製である。絶縁カバー３０は、第１絶縁カバー３０ａと第２絶縁カバー３０ｂとが組み付けられることにより構成される。第１絶縁カバー３０ａは、電極組立体１２のタブ側端面１２ａと対向する対向面から電極組立体１２寄りに突出したリブ３４を備えている。リブ３４は、蓋１４寄りに凹む係止凹部３４ａを備えている。第２絶縁カバー３０ｂは、第１絶縁カバー３０ａに向けて突出した係止用突出部３９を備えている。係止用突出部３９は、先端部に係止爪３９ａを備えている。係止爪３９ａは、第１絶縁カバー３０ａの係止凹部３４ａに係止可能である。第１絶縁カバー３０ａと第２絶縁カバー３０ｂとは、第１絶縁カバー３０ａの係止凹部３４ａに第２絶縁カバー３０ｂの係止爪３９ａが係止されることで一体に組み付けられることで構成される。
【００４１】
図３に示すように、第１絶縁カバー３０ａは、正極タブ群２５ａ及び負極タブ群２８ａの先端側曲げ部２９ｃ寄りから導電部材１７に対して装着されている。第２絶縁カバー３０ｂは、正極タブ群２５ａ及び負極タブ群２８ａの基端側曲げ部２９ａ寄りから導電部材１７に対して装着されている。
【００４２】
第１絶縁カバー３０ａは、板状の第１部位３１と、板状の第２部位３２と、第１部位３１の長辺方向に沿う一辺と第２部位３２の長辺方向に沿う一辺とを接続する第３部位３３とを備えている。第１絶縁カバー３０ａは、第１部位３１及び第２部位３２の有する両面が蓋１４の下面１４ａに沿うように設けられている。
【００４３】
第１部位３１は、蓋１４の下面１４ａと導電部材１７との間に設けられている。よって、第１部位３１は、蓋１４と導電部材１７とを絶縁している。第１部位３１は導電部材１７に支持されている。第２部位３２は、電極組立体１２のタブ側端面１２ａと、正極タブ群２５ａ及び負極タブ群２８ａにおける延出部２９ｂのうちタブ側端面１２ａと対向している延出端面２９ｅとの間に設けられている。先端側曲げ部２９ｃは、導電部材１７と、第２部位３２と、第３部位３３とで区画された空間に入り込んだ状態である。
【００４４】
図４に示すように、第１絶縁カバー３０ａにおける第２部位３２の長辺方向の寸法は、第１部位３１の長辺方向の寸法よりも長い。第２部位３２は、第１絶縁カバー３０ａの長辺方向の一端寄りに負極絶縁部３５を備えている。第２部位３２は、第１絶縁カバー３０ａの長辺方向の他端寄りに正極絶縁部３６を備えている。負極絶縁部３５及び正極絶縁部３６は、電極端子１５の引出端子１９ａの下方であって、電極組立体１２のタブ側端面１２ａよりも上方に設けられている。負極絶縁部３５は、第１絶縁カバー３０ａの長辺方向の一端寄りにおいて電極組立体１２のタブ側端面１２ａに沿った所定範囲に設けられている。正極絶縁部３６は、第１絶縁カバー３０ａの長辺方向の他端寄りにおいて電極組立体１２のタブ側端面１２ａに沿った所定範囲に設けられている。負極絶縁部３５及び正極絶縁部３６は、電極端子１５と電極組立体１２とを絶縁している。
【００４５】
図３に示すように、第３部位３３は、正極タブ群２５ａ及び負極タブ群２８ａを外側から覆っている。詳しくは、第３部位３３は、正極タブ群２５ａ及び負極タブ群２８ａの先端側曲げ部２９ｃを積層方向他端寄りから覆っている。第３部位３３は、積層方向において、正極タブ群２５ａ及び負極タブ群２８ａの先端側曲げ部２９ｃとケース本体１３の長側壁１３ｃの内面との間に設けられている。よって、正極タブ群２５ａ及び負極タブ群２８ａとケース本体１３とは、第３部位３３によって絶縁されている。
【００４６】
第２絶縁カバー３０ｂは、板状の第１部位３７と、第１部位３７の長辺方向に沿う一辺から電極組立体１２に向けて立設された第２部位３８とを備えている。第１部位３７は、蓋１４の下面１４ａと導電部材１７との間に設けられている。よって、第１部位３７は、蓋１４と導電部材１７とを絶縁している。第２部位３８は、正極タブ群２５ａ及び負極タブ群２８ａを外側から覆っている。詳しくは、第２部位３８は、正極タブ群２５ａ及び負極タブ群２８ａの基端側曲げ部２９ａを積層方向一端寄りから覆っている。第２部位３８は、積層方向において、正極タブ群２５ａ及び負極タブ群２８ａの基端側曲げ部２９ａとケース本体１３の長側壁１３ｃの内面との間に設けられている。よって、正極タブ群２５ａ及び負極タブ群２８ａとケース本体１３とは、第２部位３８によって絶縁されている。
【００４７】
図６に示すように、二次電池１０において、ケース本体１３には蓋１４が溶接（例えばレーザ溶接）によって接合されている。ケース本体１３における開口部１３ａの周縁部に位置する一対の長側壁１３ｃ及び一対の短側壁１３ｄの先端部分と、これら先端部分と接する蓋本体部１６ａの周縁部と、に溶接箇所Ｐが形成されている。二次電池１０では、こうして溶接箇所Ｐが形成されることによってケース本体１３と蓋１４とが組み付けられている。
【００４８】
次に、二次電池１０を製造する製造装置５０について、二次電池１０の製造方法とともに説明する。
製造装置５０は、二次電池１０の製造工程として、電極組立体挿入工程、絶縁カバー組付工程、及び蓋組付工程を行う。なお、図示は省略しているが、これらの製造工程は、製造ライン上で行われる。製造ラインでは、治具に支持されたケース本体１３が順次搬送され、ケース本体１３に取り付けるための各種部材が搬送中の治具に順次供給される。搬送されるケース本体１３は、開口部１３ａが上方に向けて開放するとともに底壁１３ｂが治具上に載置された状態で治具上に支持されている。ケース本体１３が治具によって支持された状態で、二次電池１０の各製造工程が実行される。
【００４９】
電極組立体挿入工程では、治具に支持されたケース本体１３内に開口部１３ａから電極組立体１２を挿入する。ケース本体１３内に挿入される電極組立体１２は、組立部材Ｗとして蓋１４と一体化されている。ケース本体１３内への電極組立体１２の挿入は、蓋１４をロボットアーム等によって保持しながら行う。電極組立体挿入工程では、図１に示すように、電極組立体１２の一部がケース本体１３内に挿入される。そのため、組立部材Ｗのうち、電極組立体１２の上記一部を除く部分のほか、蓋１４、正極タブ群２５ａ、負極タブ群２８ａ、及び一対の電極端子１５が、ケース本体１３から露出した状態となる。電極組立体１２の一部がケース本体１３に挿入されると、上記ロボットアーム等による蓋１４の保持が解除される。そして、ケース本体１３は、電極組立体１２の一部が挿入された状態で組立部材Ｗと共に製造ライン上を搬送される。
【００５０】
カバー組付工程では、搬送されたケース本体１３及び組立部材Ｗごとに、第１絶縁カバー３０ａ及び第２絶縁カバー３０ｂを１つずつ組立部材Ｗに組み付ける。具体的には、図示しない押込み機構により、第１絶縁カバー３０ａを組立部材Ｗに向けて移動させることにより、第１絶縁カバー３０ａを組立部材Ｗにおける所定の位置に組み付ける。組立部材Ｗに組み付けられた第１絶縁カバー３０ａでは、図３に示すように、第１部位３１が蓋１４の下面１４ａと導電部材１７の上面との間に挿入され、第２部位３２が電極組立体１２のタブ側端面１２ａと正極タブ群２５ａ及び負極タブ群２８ａとの間に挿入される。組立部材Ｗに組み付けられた第１絶縁カバー３０ａでは、第３部位３３が正極タブ群２５ａ及び負極タブ群２８ａの先端側曲げ部２９ｃを外側から覆う。また、カバー組付工程では、図示しない押込み機構により、第２絶縁カバー３０ｂを組立部材Ｗに向けて移動させることにより、第２絶縁カバー３０ｂを組立部材Ｗにおける所定の位置に組み付ける。組立部材Ｗに組み付けられた第２絶縁カバー３０ｂでは、図３に示すように、第１部位３７が蓋１４の下面１４ａと導電部材１７の上面との間に挿入され、第２部位３８が正極タブ群２５ａ及び負極タブ群２８ａの基端側曲げ部２９ａを外側から覆う。
【００５１】
組立部材Ｗに第１絶縁カバー３０ａ及び第２絶縁カバー３０ｂが挿入されると、第２絶縁カバー３０ｂの係止爪３９ａが第１絶縁カバー３０ａの係止凹部３４ａに係止される。そして、第１絶縁カバー３０ａ及び第２絶縁カバー３０ｂの組立部材Ｗへの組み付けが完了する。なお、カバー組付工程ラインでは、ケース本体１３内に電極組立体１２の一部が挿入された状態でケース本体１３及び組立部材Ｗの位置が維持されている。第１絶縁カバー３０ａ及び第２絶縁カバー３０ｂの組立部材Ｗへの組み付けが完了すると、ケース本体１３内に電極組立体１２の一部が収容された状態のまま、ケース本体１３及び組立部材Ｗが製造ライン上を搬送される。すなわち、電極組立体１２と正極タブ群２５ａ及び負極タブ群２８ａを介して一体となった蓋１４が、ケース本体１３の開口部１３ａから離間した状態でケース本体１３と共に搬送される。
【００５２】
次に、蓋組付工程を行うための蓋組付装置７７について、図７、図８、図９にしたがって説明する。なお以下では、立設方向の上及び下を単に上及び下という。
図７に示すように、製造装置５０は、蓋組付工程を行うため蓋組付装置７７を備えている。蓋組付装置７７は、蓋１４を保持する蓋保持部８５と、蓋１４を押圧する蓋押圧部８６と、蓋保持部８５及び蓋押圧部８６が接続された基端部８７と、を備える。蓋保持部８５は、矩形板状の第１保持部８５ａと、第１保持部８５ａの長辺方向両端から立設方向下方に立設した一対の第２保持部８５ｂと、を備える。第１保持部８５ａからの第２保持部８５ｂの立設方向において、第２保持部８５ｂの寸法は、上下方向に沿った蓋本体部１６ａの下面１６ｅと電極端子１５の外部接続端子１９ｃの先端との間の寸法よりも大きい。本実施形態の蓋組付装置７７は、蓋保持部８５を２つ備えている。また、詳しい構成の図示は省略しているが、蓋保持部８５は第２保持部８５ｂの開閉制御が可能なチャック機構を有している。蓋保持部８５の開閉動作によって、一対の第２保持部８５ｂの対向方向において、一対の第２保持部８５ｂの間の距離が変更する。
【００５３】
基端部８７は矩形平板状であり、基端部８７の下面には収縮可能なばね支持部８８が接続されている。ばね支持部８８のうち、基端部８７との接続側とは反対側が蓋保持部８５の第１保持部８５ａに接続されている。これにより、蓋保持部８５は、ばね支持部８８を介して基端部８７に接続されている。なお、ばね支持部８８は、フローティング機構８８ｆを介して基端部８７に接続されている。ばね支持部８８は、フローティング機構８８ｆによって、基端部８７に対して支持されながらばね支持部８８の延びる方向と直交する方向で変位可能となっている。すなわち、フローティング機構８８ｆは、ケース本体１３の開口部１３ａの開口面に沿う方向にて、第１保持部８５ａ及び第２保持部８５ｂと基端部８７との位置関係を変更可能とするものである。
【００５４】
蓋組付装置７７は、蓋押圧部８６を２つ備えている。この２つの蓋押圧部８６は、基端部８７の長辺方向の両端部において、互いに離間して位置している。蓋押圧部８６は、基端部８７の下面から下方に立設する矩形平板状の第１押圧部８６ａと、基端部８７の短辺方向における第１押圧部８６ａの一対の縁部から基端部８７の長辺方向に延びる一対の第２押圧部８６ｂと、を備える。２つの蓋押圧部８６において、基端部８７の長辺方向に対向する第２押圧部８６ｂ同士は基端部８７の長辺方向で互いに近づく方向に延びている。蓋押圧部８６は、基端部８７に直交する方向から見たときに、平面視コの字となっている。なお、各蓋押圧部８６の一対の第２押圧部８６ｂの対向方向において、一方の第２押圧部８６ｂにおける他方の第２押圧部８６ｂとは反対側の面と、他方の第２押圧部８６ｂにおける一方の第２押圧部８６ｂとは反対側の面との間の寸法は、蓋１４の蓋本体部１６ａの短辺方向の寸法よりもわずかに小さい。また、基端部８７からの第１押圧部８６ａの立設方向において、第１押圧部８６ａと第２押圧部８６ｂとの寸法は同じ大きさである。この基端部８７からの第１押圧部８６ａの立設方向における第１押圧部８６ａ及び第２押圧部８６ｂの寸法は、第１保持部８５ａからの第２保持部８５ｂの立設方向における第２保持部８５ｂの寸法よりも大きい。
【００５５】
蓋組付装置７７は、蓋保持部８５、蓋押圧部８６、及び基端部８７を一体移動させる蓋移動部８９を備える。本実施形態の蓋移動部８９は、シリンダ部８９ａと、シリンダ部８９ａに対して出没可能なロッド８９ｂと、を備える。蓋移動部８９は、シリンダ部８９ａに対するロッド８９ｂの出没を通じて、基端部８７を上下方向に移動可能としている。基端部８７の移動に応じて、蓋保持部８５がばね支持部８８と共に基端部８７の移動方向と同方向に移動するとともに、蓋押圧部８６が基端部８７の移動方向と同方向に移動する。こうした蓋移動部８９による基端部８７の移動によって、蓋組付装置７７は、蓋保持部８５及び蓋押圧部８６のどちらも蓋１４に当接しない非当接位置と、蓋保持部８５によって蓋１４を保持する蓋保持位置と、蓋押圧部８６によって蓋１４を押圧する蓋押圧位置と、で蓋保持部８５及び蓋押圧部８６を上下方向に移動可能である。
【００５６】
次に、蓋組付工程について説明する。
図８に示すように、蓋組付工程では、まず蓋組付装置７７において、シリンダ部８９ａからロッド８９ｂが突出することにより、蓋保持部８５及び蓋押圧部８６が非当接位置から蓋保持位置となる。このとき、蓋保持部８５の開動作によって、一対の第２保持部８５ｂの間の距離は、蓋１４の短辺方向における蓋本体部１６ａの寸法よりも大きくなっている。また、蓋保持位置では、蓋保持部８５の一対の第２保持部８５ｂの下端部が、蓋１４の短辺方向における蓋本体部１６ａの端部と対向して位置する。そして、上記蓋保持位置となった状態で、蓋保持部８５の閉動作によって一対の第２保持部８５ｂが互いに近づく方向に移動することにより、一対の第２保持部８５ｂの間の距離が小さくなる。これにより、一対の第２保持部８５ｂによって蓋１４の蓋本体部１６ａが蓋１４の短辺方向における両側から挟持される。こうして蓋１４が蓋保持部８５によって保持されると、蓋１４を含む組立部材Ｗが蓋保持部８５によって支持された状態となる。なお、こうした蓋保持部８５による蓋保持位置においては、蓋押圧部８６が蓋１４の上面１４ｂから離間している。
【００５７】
そして、図９に示すように、蓋保持部８５によって組立部材Ｗが保持された状態のまま、さらにシリンダ部８９ａからロッド８９ｂが突出する。ロッド８９ｂの突出量が大きくなるにつれて、基端部８７が移動するとともに、ばね支持部８８が収縮する。ロッド８９ｂの突出に応じてばね支持部８８が収縮する間は、電極組立体１２はケース本体１３から露出した状態のまま変位せず、蓋１４はケース本体１３の開口部１３ａから離間した位置で維持される。
【００５８】
シリンダ部８９ａからのロッド８９ｂの突出が続くと、蓋保持部８５によって保持された蓋１４がケース本体１３の上部に載せられる。その後、蓋押圧部８６が蓋１４の上面１４ｂに当接するようになる。すなわち、蓋保持部８５及び蓋押圧部８６が蓋押圧位置とされる。蓋押圧部８６が蓋１４の上面１４ｂに当接した状態では、基端部８７からの第１押圧部８６ａの立設方向における第１押圧部８６ａの先端が、蓋１４の短辺に沿うように当接する。蓋押圧部８６が蓋１４の上面１４ｂに当接した状態では、基端部８７からの第１押圧部８６ａの立設方向における第２押圧部８６ｂの先端が、蓋１４の長辺に沿うように当接する。
【００５９】
蓋組付工程では、蓋押圧部８６が蓋１４の上面１４ｂに当接してからも、シリンダ部８９ａからのロッド８９ｂの突出が続けられる。蓋押圧部８６が蓋１４の上面１４ｂに当接してからは、ばね支持部８８が収縮しない。そして、蓋保持部８５、蓋押圧部８６、基端部８７、及びばね支持部８８が、一体となってロッド８９ｂの突出量に応じてケース本体１３に近づく方向に移動する。蓋１４は、蓋押圧部８６による押圧を受けて、ケース本体１３に近づく方向に移動する。そして、電極組立体１２が蓋１４を介して蓋押圧部８６から押圧を受けることにより、電極組立体１２のうちケース本体１３から露出していた部分がケース本体１３の内部に挿入される。
【００６０】
次に、蓋組付工程におけるケース本体１３への蓋１４の組み付けについて、本実施形態の作用と共に説明する。
図４に示すように、蓋１４の移動の際には、蓋インロー部１６ｂの蓋インロー隅部１６ｇがケース本体１３の開口部１３ａを通過する。このとき、ケース本体１３の開口部１３ａの開口面に沿う方向において、蓋１４がケース本体１３の開口部１３ａからずれることがある。こうして蓋１４がずれると、ケース本体１３の開口部１３ａからずれた部分の蓋インロー隅部１６ｇが、ケース本体１３の長側壁１３ｃの側壁隅部１３ｇや短側壁１３ｄの側壁隅部１３ｇに当接する。このとき、テーパ面である蓋インロー隅部１６ｇが、ケース本体１３の長側壁１３ｃの側壁隅部１３ｇや短側壁１３ｄの側壁隅部１３ｇに当接するため、互いの当接によっても蓋インロー部１６ｂやケース本体１３の長側壁１３ｃ及び短側壁１３ｄが削れにくい。また、テーパ面である蓋インロー隅部１６ｇが長側壁１３ｃや短側壁１３ｄに当接しながら蓋１４がケース本体１３内へと移動することにより、蓋インロー隅部１６ｇに沿って蓋１４の位置が移動する。これにより、ケース本体１３の開口部１３ａの開口面に沿う方向において、ケース本体１３の開口部１３ａからの蓋１４のずれが補正されながら蓋１４がケース本体１３に挿入されていく。
【００６１】
図９に示す蓋組付装置７７にて、シリンダ部８９ａからのロッド８９ｂの突出が続けられると、蓋１４が閉塞位置に位置するようになることで、ケース本体１３の開口部１３ａは蓋１４によって閉塞される。これにより、電極組立体１２全体、導電部材１７、第１絶縁カバー３０ａ、及び第２絶縁カバー３０ｂがケース本体１３内に収容された状態となる。そして、シリンダ部８９ａからのロッド８９ｂの突出が終了することにより、蓋保持部８５による蓋１４の保持と蓋押圧部８６による蓋１４の押圧とが解除され、蓋組付工程が完了する。組立部材Ｗが組み付けられたケース本体１３には、溶接工程を含む後工程が施される。溶接工程では、ケース本体１３の開口部１３ａの周縁部と蓋１４の蓋本体部１６ａの周縁部とが溶接によって接合される。
【００６２】
本実施形態では以下の効果を得ることができる。
（１）ケース本体１３に蓋１４を組み付ける際に、テーパ面である蓋インロー隅部１６ｇと、ケース本体１３の長側壁１３ｃの側壁隅部１３ｇや短側壁１３ｄの側壁隅部１３ｇとが当接する。そのため、互いの当接によって蓋インロー部１６ｂやケース本体１３の長側壁１３ｃ及び短側壁１３ｄが削れにくい。したがって、ケース本体１３の内側に蓋１４の蓋インロー部１６ｂを挿入する際に、ケース本体１３と蓋１４との当接による異物の発生を抑制できる。また、蓋保持部８５と基端部８７とがフローティング機構８８ｆを介して接続されている。そのため、ケース本体１３への蓋１４の組み付けの際に、フローティング機構８８ｆによりケース本体１３の開口部１３ａの開口面に沿う方向に蓋１４が移動しやすくなる。テーパ面である蓋インロー隅部１６ｇにケース本体１３の長側壁１３ｃや短側壁１３ｄが当接しながらケース本体１３内への蓋１４の移動が行われることにより、蓋１４がケース本体１３内に移動するにつれて、ケース本体１３の開口部１３ａの開口面に沿う方向にて蓋１４の位置が移動しやすい。したがって、ケース本体１３への蓋１４の組み付けに際してケース本体１３と蓋１４との位置精度を向上できる。
【００６３】
（２）蓋保持部８５による蓋１４の保持が行われた後に、蓋押圧部８６が蓋１４に当接する。そのため、蓋保持部８５による蓋１４の保持が開始される際には蓋押圧部８６が蓋１４の押圧を開始する際の蓋１４の動きが生じず、蓋押圧部８６による蓋１４の押圧が開始される際には蓋保持部８５が蓋１４の保持を開始する際の蓋１４の動きが生じない。したがって、蓋保持部８５による蓋１４の保持と、蓋押圧部８６による蓋１４の押圧とを精度よく行うことができる。
【００６４】
（３）二次電池１０では、ケース１１の内部容量を大きくして電池容量を大きくするため、ケース本体１３の長側壁１３ｃ及び短側壁１３ｄの厚みを強度が保持できる範囲で可能な限り薄くすることが好ましい。しかしながら、ケース本体１３において、長側壁１３ｃの側壁隅部１３ｇや短側壁１３ｄの側壁隅部１３ｇをテーパ隅部として形成するためには、テーパ隅部を形成可能な程度に長側壁１３ｃや短側壁１３ｄの厚みを大きく設定する必要があり、その分だけ二次電池１０の電池容量が低下するおそれがある。本実施形態では、蓋１４の蓋インロー部１６ｂの蓋インロー隅部１６ｇがテーパ面を有する一方で、ケース本体１３の長側壁１３ｃ及び短側壁１３ｄの側壁隅部１３ｇはテーパ面を有していない。したがって、二次電池１０の電池容量の低下を抑制しつつ、ケース本体１３と蓋１４との当接による異物の発生を抑制できる。
【００６５】
なお、上記実施形態は、以下のように変更して実施することができる。上記実施形態及び以下の変更例は、技術的に矛盾しない範囲で互いに組み合わせて実施することができる。
【００６６】
○  図１０に示す二次電池１１０のケース１１１のように、蓋インロー部１６ｂの蓋インロー隅部１６ｇをテーパ隅部とすることに加えて、ケース本体１１３の一対の長側壁１３ｃの側壁隅部１３ｇ及び一対の短側壁１３ｄの側壁隅部１３ｇもテーパ隅部としてもよい。この形態では、一対の短側壁１３ｄにおけるテーパ面である側壁隅部１３ｇは、平面状であり、一対の短側壁１３ｄにおける先端面１３ｅ及び内面１３ｆの両面から傾斜している。仮に、側壁隅部１３ｇでのテーパ面の形成位置にて短側壁１３ｄを開口部１３ａの開口面に沿う方向で切断したときに、ケース本体１３の短側壁１３ｄの断面積は、ケース本体１３の底壁１３ｂに近づくほど大きくなっている。なお、図１０では一対の長側壁１３ｃの図示を省略しているが、本形態では一対の長側壁１３ｃの側壁隅部１３ｇも、上記の一対の短側壁１３ｄの側壁隅部１３ｇと同様の形状を有する。
【００６７】
この形態では、蓋１１４をケース本体１１３に向けて移動させるときに、ケース本体１１３の開口部１３ａの開口面に沿う方向で蓋１１４がケース本体１１３の開口部１３ａからずれていると、蓋インロー隅部１６ｇと側壁隅部１３ｇとが当接する。そのため、これら蓋インロー隅部１６ｇと側壁隅部１３ｇとでの互いの当接によって蓋インロー部１６ｂやケース本体１１３の長側壁１３ｃ及び短側壁１３ｄが削れにくい。また、蓋インロー隅部１６ｇと側壁隅部１３ｇとが当接しながら蓋１１４がケース本体１１３内へと移動することにより、蓋１１４がケース本体１１３内に移動するにつれて、蓋インロー部１６ｂ及び側壁隅部１３ｇに沿って蓋１１４の位置が移動する。これにより、ケース本体１１３の開口部１３ａの開口面に沿う方向において、ケース本体１１３の開口部１３ａからの蓋１１４のずれを補正しながら蓋１１４をケース本体１１３に挿入できる。
【００６８】
○  図１１に示す二次電池１１０のケース１１１のように、ケース本体１１３の一対の長側壁１３ｃ及び一対の短側壁１３ｄを、立設方向で厚みの異なる部分を有する形状としてもよい。この形態での一対の短側壁１３ｄの内面１３ｆは、第１内面１１３ｆ、第２内面１１４ｆ、及び第３内面１１５ｆで構成される。第１内面１１３ｆは、一対の短側壁１３ｄの先端面１３ｅと側壁隅部１３ｇを形成する面であり、立設方向に延びている。第２内面１１４ｆは、第１内面１１３ｆの下端から開口部１３ａの開口面に沿ってケース本体１１３の内側に向けて突出して延びている。第３内面１１５ｆは、第２内面１１４ｆの突出方向先端から下側に向けて延びている。また、蓋インロー部１６ｂの外周面１６ｆが一対の短側壁１３ｄの第１内面１１３ｆに沿っており、蓋１１４の下面１４ａが一対の短側壁１３ｄの第２内面１１４ｆに沿っている。なお、図１１では一対の長側壁１３ｃの図示を省略しているが、本形態では一対の長側壁１３ｃも、上記の一対の短側壁１３ｄと同様の形状を有する。こうした形態によれば、上記変更例と同様に、テーパ面である蓋インロー隅部１６ｇとテーパ面である側壁隅部１３ｇとを当接させながら、蓋１１４をケース本体１１３内に移動させることができる。
【００６９】
○  テーパ隅部は、蓋インロー部１６ｂの蓋インロー隅部１６ｇに存在させず、ケース本体１３，１１３の一対の長側壁１３ｃの側壁隅部１３ｇ及び一対の短側壁１３ｄの側壁隅部１３ｇにのみ存在させてもよい。
【００７０】
○  図１２及び図１３に示す二次電池２１０のケース２１１のように、ケース本体２１３の開口部１３ａに蓋２１４の全体を嵌め込むことによりケース本体２１３に蓋２１４が取り付けられていてもよい。この形態では、蓋２１４が蓋インロー部１６ｂを有さず、蓋２１４の全体形状が平板状となっている。蓋２１４の上面１４ｂと、ケース本体２１３の一対の長側壁１３ｃの先端面１３ｅ及び一対の短側壁１３ｄの先端面１３ｅとが、ケース本体２１３の開口部１３ａの開口面に沿って隣接している。蓋２１４の上面１４ｂと下面１４ａとを繋ぐ蓋２１４の外周面２１４ｆと、ケース本体２１３の一対の長側壁１３ｃの内面１３ｆ及び一対の短側壁１３ｄの内面１３ｆと、が沿っている。蓋２１４の下面１４ａは、ケース本体２１３の開口部１３ａの開口面に沿って延びる面であって、ケース本体２１３の内側に存在する蓋２１４の内側面に相当する。そして、二次電池２１０では、ケース本体２１３における開口部１３ａの周縁部に位置する一対の長側壁１３ｃ及び一対の短側壁１３ｄの先端部分と、これら先端部分と接する蓋２１４の周縁部と、に溶接箇所Ｐが形成される。この形態の蓋２１４は、蓋２１４の外周面２１４ｆと蓋２１４の下面１４ａとが交わる蓋隅部２１４ｇを備えている。この形態のケース本体２１３の一対の長側壁１３ｃ及び一対の短側壁１３ｄは、先端面１３ｅと内面１３ｆとが交わる側壁隅部１３ｇを備えている。そして、この形態の二次電池２１０では、蓋隅部２１４ｇ及び側壁隅部１３ｇの両方がテーパ面を有するテーパ隅部となっている。この形態では、蓋隅部２１４ｇ及び側壁隅部１３ｇが平面状である。なお、図１３では一対の長側壁１３ｃの図示を省略しているが、本形態では一対の長側壁１３ｃの側壁隅部１３ｇも、上記の一対の短側壁１３ｄの側壁隅部１３ｇと同様の形状を有する。この形態においても、テーパ面である蓋隅部２１４ｇとテーパ面である側壁隅部１３ｇとを当接させながら、蓋２１４をケース本体２１３内に移動させることができる。したがって、上記実施形態と同様の作用効果を得ることができる。なお、この形態において、蓋隅部２１４ｇでのテーパ隅部と側壁隅部１３ｇでのテーパ隅部とのいずれか一方を省略してもよい。
【００７１】
○  図１４に示す二次電池３１０のケース３１１のように、蓋２１４の全体がケース本体２１３の開口部１３ａに嵌め込まれるとともに、蓋３１４が蓋本体部１６ａ及び蓋インロー部１６ｂを有する形状であってもよい。この形態では、二次電池３１０の外観は、図１２に示す二次電池２１０と同様である。また、ケース本体３１３の一対の長側壁１３ｃ及び一対の短側壁１３ｄが、立設方向で厚みの異なる部分を有する。一対の短側壁１３ｄの内面１３ｆは、第１内面３１３ｆ、第２内面３１４ｆ、及び第３内面３１５ｆで構成される。第１内面３１３ｆは、一対の短側壁１３ｄの先端面１３ｅの内周縁に位置する第１側壁隅部３１３ｇから立設方向下側に延びる面である。第１側壁隅部３１３ｇは、一対の短側壁１３ｄの先端面１３ｅと第１内面３１３ｆとを繋いでいる。第１側壁隅部３１３ｇにおいて、一対の短側壁１３ｄの先端面１３ｅと第１内面３１３ｆとが交わっている。第２内面３１４ｆは、第１内面３１３ｆの立設方向下端から開口部１３ａの開口面に沿ってケース本体３１３の内側に向けて突出して延びている。第３内面３１５ｆは、第２内面３１４ｆの突出方向先端から立設方向の下側に向けて延びている。一対の短側壁１３ｄにおいて、第２内面３１４ｆと第３内面３１５ｆとは第２側壁隅部３１４ｇで繋がれている。第２側壁隅部３１４ｇにおいて、一対の短側壁１３ｄでの第２内面３１４ｆと第３内面３１５ｆとが交わっている。
【００７２】
また、蓋３１４の蓋本体部１６ａは、ケース本体２１３の開口部１３ａの開口面に沿って延びる下面３１７ｆを備える。蓋本体部１６ａの下面３１７ｆは、蓋本体部１６ａのうち、ケース本体３１３の内側に存在する内側面に相当する。蓋本体部１６ａは、蓋３１４の上面１４ｂと蓋本体部１６ａの下面３１７ｆとを繋ぐ面であって、立設方向に延びる外周面３１６ｆを備える。蓋本体部１６ａは、蓋本体部１６ａの外周面３１６ｆと下面３１７ｆとを繋ぐ蓋本体隅部３１６ｇを備えている。蓋本体隅部３１６ｇにおいて、蓋本体部１６ａの外周面３１６ｆと下面３１７ｆとが交わっている。また、蓋インロー部１６ｂは、蓋本体部１６ａからケース本体３１３内に向かって延びる外周面３１８ｆを備える。蓋インロー部１６ｂは、外周面３１８ｆと蓋３１４の下面１４ａとを繋ぐ蓋インロー隅部３１７ｇを備えている。蓋インロー隅部３１７ｇにおいて、蓋インロー部１６ｂの外周面３１８ｆと蓋３１４の下面１４ａとが交わっている。蓋インロー隅部３１７ｇは、蓋本体部１６ａからの蓋インロー部１６ｂの突出方向先端側における蓋インロー部１６ｂの外周縁に存在する。二次電池３１０において、一対の短側壁１３ｄの第１内面３１３ｆは、蓋本体部１６ａの外周面３１６ｆに沿っている。一対の短側壁１３ｄの第２内面３１４ｆは、蓋本体部１６ａの下面３１７ｆに沿っており、蓋本体部１６ａを支持している。一対の短側壁１３ｄの第３内面３１５ｆは、蓋インロー部１６ｂの外周面３１８ｆに沿っている。
【００７３】
そして、この形態の二次電池２１０では、蓋本体隅部３１６ｇ、蓋インロー隅部３１７ｇ、第１側壁隅部３１３ｇ、及び第２側壁隅部３１４ｇの全てがテーパ面を有するテーパ隅部となっている。この形態では、蓋本体隅部３１６ｇ、蓋インロー隅部３１７ｇ、第１側壁隅部３１３ｇ、及び第２側壁隅部３１４ｇの全てが平面状である。なお、図１４では一対の長側壁１３ｃの図示を省略しているが、本形態では一対の長側壁１３ｃも、上記の一対の短側壁１３ｄと同様の形状を有する。この形態においても、テーパ面である蓋インロー隅部３１７ｇが第１側壁隅部３１３ｇや第２側壁隅部３１４ｇに当接しながら、蓋３１４がケース本体３１３内で移動する。蓋本体隅部３１６ｇが第１側壁隅部３１３ｇに当接しながら、蓋３１４がケース本体３１３内で移動する。したがって、上記実施形態と同様の作用効果を得ることができる。なお、この形態において、蓋本体隅部３１６ｇ、蓋インロー隅部３１７ｇ、第１側壁隅部３１３ｇ、及び第２側壁隅部３１４ｇのうち、一部のテーパ隅部を省略してもよい。
【００７４】
○  蓋１４、長側壁１３ｃ、及び短側壁１３ｄの一部又は全てに設けられるテーパ隅部を、平面状ではなく湾曲した形状としてもよい。こうしたテーパ隅部の形状は、ケース本体１３の開口部１３ａの周り全体のテーパ隅部で同形状であってもよいし、ケース本体１３の開口部１３ａ周りに、平面状のテーパ隅部と湾曲したテーパ隅部とを混在させてもよい。
【００７５】
○  ケース本体１３の開口部１３ａ周りの位置によって、蓋１４と長側壁１３ｃ及び短側壁１３ｄとでテーパ隅部を設ける部材を異ならせてもよい。すなわち、ケース本体１３の開口部１３ａの周り全体にて、蓋１４でのテーパ隅部と、長側壁１３ｃ及び短側壁１３ｄでのテーパ隅部とのうち、少なくとも一方が存在していればよい。
【００７６】
○  蓋押圧部８６の第１押圧部８６ａ及び第２押圧部８６ｂの形状は蓋１４の上面１４ｂを押圧できる形状であれば変更可能である。
○  蓋押圧部８６では、第１押圧部８６ａ及び第２押圧部８６ｂにかえて、３つ以上の押圧部によって蓋１４の上面１４ｂを押圧してもよいし、１つの押圧部によって蓋１４の上面１４ｂを押圧してもよい。
【００７７】
○  ばね支持部８８にかえて、収縮しない支持部によって蓋保持部８５を支持する基端部８７に支持するようにしてもよい。この変更例では、シリンダ部８９ａからロッド８９ｂが突出する際に、上記支持部が撓むことにより、蓋保持部８５によって蓋１４を保持しつつ、蓋押圧部８６を蓋１４に近接させることが可能である。
【００７８】
○  蓋移動部８９は、シリンダ部８９ａ及びロッド８９ｂ以外の構成でもって蓋保持部８５、蓋押圧部８６、及び基端部８７を移動可能なものであってもよい。
○  蓋保持部８５及び蓋押圧部８６に接続される基端部８７の形状は上記実施形態の形状に限定されない。
【００７９】
○  蓋組付装置７７は、蓋保持部８５による蓋１４の保持と蓋押圧部８６による蓋１４の押圧とを同じタイミングで開始する構成としてもよい。
○  蓋保持部８５と蓋押圧部８６とは、一体移動する構造ではなく、個別でそれぞれ移動する構造であってもよい。
【００８０】
○  蓋１４を蓋保持部８５によって保持しつつケース本体１３の内部に移動させることで、蓋１４の上面１４ｂを押圧しなくとも、ケース本体１３の開口部１３ａを閉塞する閉塞位置まで蓋１４を移動できるのであれば、蓋組付装置７７から蓋押圧部８６を省略してもよい。
【００８１】
○  絶縁シート４０により電極組立体１２の周囲を覆うようにしていたが、例えば絶縁シート４０を省略してケース本体１３内の内側面に絶縁塗料を塗布してもよい。
○  正極電極２０は、正極金属箔２３の片面に正極活物質層２４が存在する構造でもよい。負極電極２１は、負極金属箔２６の片面に負極活物質層２７が存在する構造でもよい。
【００８２】
○  電極組立体１２の構成は、正極電極及び負極電極の一方又は双方が袋状セパレータによって収納された収納電極が積層された構成としてもよい。
○  電極組立体１２は、長尺帯状の正極電極と、長尺帯状の負極電極とを、長尺帯状のセパレータを介して捲回した捲回型であってもよい。
【００８３】
○  二次電池１０は、円筒型等、角型以外の形状の電池であってもよい。
○  二次電池１０は、リチウムイオン電池であったが、これに限らず、他の二次電池であってもよい。
【００８４】
○  蓄電装置は、二次電池でなく、電気二重層キャパシタ等の他の蓄電装置に適用してもよい。
【符号の説明】
【００８５】
Ｗ…組立部材、１０，１１０，２１０，３１０…二次電池、１１，１１１，２１１，３１１…ケース、１２…電極組立体、１３，１１３，２１３，３１３…ケース本体、１３ａ…開口部、１３ｂ…底壁、１３ｃ…長側壁、１３ｄ…短側壁、１３ｅ…先端面、１３ｆ…内面、１３ｇ…側壁隅部、１４，１１４，２１４，３１４…蓋、１４ａ…下面、１４ｂ…上面、１５…電極端子、１６ａ…蓋本体部、１６ｂ…蓋インロー部、１６ｆ…外周面、１６ｇ…蓋インロー隅部、２０…正極電極、２１…負極電極、２５…正極タブ、２５ａ…正極タブ群、２８…負極タブ、２８ａ…負極タブ群、５０…製造装置、７７…蓋組付装置、８５…蓋保持部、８６…蓋押圧部、８７…基端部、８８ｆ…フローティング機構、８９…蓋移動部、１１３ｆ，３１３ｆ…第１内面、１１４ｆ，３１４ｆ…第２内面、１１５ｆ，３１５ｆ…第３内面、２１４ｆ…外周面、２１４ｇ…蓋隅部、３１６ｇ…蓋本体隅部、３１７ｆ…下面、３１７ｇ…蓋インロー隅部、３１３ｇ…第１側壁隅部、３１４ｇ…第２側壁隅部、３１６ｆ，３１８ｆ…外周面。
【図１】
2020155318.tif 000003
【図２】
2020155318.tif 000004
【図３】
2020155318.tif 000005
【図４】
2020155318.tif 000006
【図５】
2020155318.tif 000007
【図６】
2020155318.tif 000008
【図７】
2020155318.tif 000009
【図８】
2020155318.tif 000010
【図９】
2020155318.tif 000011
【図１０】
2020155318.tif 000012
【図１１】
2020155318.tif 000013
【図１２】
2020155318.tif 000014
【図１３】
2020155318.tif 000015
【図１４】
2020155318.tif 000016